(57)【特許請求の範囲】
【請求項１】
縦長の本体部と、前記本体部の表面に位置して液を吸収して保持する機能を有する縦長の表面構造体とが設けられている吸収性物品において、
前記本体部と前記表面構造体とが、縦方向へ所定の長さを有する固定部によって固定され、前記表面構造体は、前記固定部が設けられた前方部分と、前記固定部よりも後方に突出する後方自由部分とに縦方向に区分されており、
前記前方部分には、前記固定部よりも幅方向の両外側に向けて延出する側方自由部分が設けられ、前記側方自由部分の縁部に、液の吸収保持能力を有する防漏層が前記側方自由部分から隆起して設けられ、
前記後方自由部分の表面に、表面に波状の凹凸部を有する表面シートが設けられており、
前記表面構造体には、前記前方部分と前記後方自由部分にかけて、中心線に沿って隆起した隆起部が連続して形成されており、前記本体部の裏面から前記隆起部の頂部までの高さ寸法は、前記前方部分よりも前記後方自由部分の方が大きく、
前記後方自由部分は前記本体部よりも幅寸法が小さく、且つ前記表面構造体の前記前方部分よりも幅寸法が小さいことを特徴とする吸収性物品。
【請求項２】
前記後方自由部分は、その後端部に向かうにしたがって幅寸法が徐々に小さくなる形状である請求項１記載の吸収性物品。
【請求項３】
前記本体部は、前方領域よりも後方領域で幅寸法が大きくなっており、前記表面構造体の前記後方自由部分は、前記幅寸法の大きい後方領域に位置している請求項１または２に記載の吸収性物品。
【請求項４】
本体部の少なくとも前記後方領域では、前記後方自由部分が重ねられている領域およびそれよりも外側の周辺領域に吸収層が設けられ、前記吸収層の周縁部に前記吸収層から隆起した防漏層が設けられている請求項３記載の吸収性物品。
【請求項５】
前記固定部の後端部と、前記後方自由部分の後端部とを結ぶ線が、本体部の中心線に対して左右５度以上の角度となるように、前記後方自由部分が両側方へ向けて変形自在である請求項１ないし４のいずれか１項に記載の吸収性物品。
【請求項６】
前記後方自由部分に対し、上方から４９００Ｐａの圧力を与えたときの圧縮回復率が、乾燥状態において３０％以上である請求項１ないし５のいずれか１項に記載の吸収性物品。
【請求項７】
前記後方自由部分に対し、側方から４９００Ｐａの圧力を与えたときの圧縮回復率が、乾燥状態において３０％以上である請求項１ないし６のいずれか１項に記載の吸収性物品。
【請求項８】
前記後方自由部分に対し、上方から４９００Ｐａの圧力を与えたときの圧縮剛性が、乾燥状態において０．６以下である請求項１ないし７のいずれか１項に記載の吸収性物品。
【請求項９】
前記後方自由部分に対し、側方から４９００Ｐａの圧力を与えたときの圧縮剛性が、乾燥状態において０．６以下である請求項１ないし８のいずれか１項に記載の吸収性物品。
【発明の詳細な説明】
【０００１】
【発明の属する技術分野】
本発明は、生理用ナプキン、尿取りパッドなどとして用いられる吸収性物品に関し、さらに詳しくは吸収部材後方部を着用者の身体の動きに追随させることができ、着用者の身体への密着性を向上させることができる吸収性物品に関する。
【０００２】
【従来の技術】
体排泄液が着用者の臀部を伝わって漏れることを防止するために、吸収性物品の後方領域を身体に密着させやすくした吸収性物品がある。
【０００３】
特開平１１−１０４１６９号公報には、液不透過性の防漏層の上に液保持性の吸収層が配された実質的に縦長の吸収性物品が開示されている。この吸収性物品は、前記吸収層の長手方向の中央部が前記防漏層の上に固定されて、前記吸収層に、前記防漏層に固定されていない後方自由縁部が設けられている。そして、前記吸収層に長手方向に沿う弾性部材が設けられ、前記弾性部材の収縮により、前記後方自由縁部が前記防漏層の上方へ向けて起立するものとなっている。
【０００４】
前記吸収性物品は、前記防漏層の裏面を、粘着剤を介してショーツに固着して着用するが、このとき前記ショーツがルーズであっても、または着用中に着用者の身体が動いても、前記吸収層の後方自由縁部が湾曲して身体の後方部位に密着しやすくなり、その結果、フィット性が向上し、液の漏れが防止しやすくなるというものである。
【０００５】
【発明が解決しようとする課題】
しかし、前記公報に開示された吸収性物品では、前記吸収層の幅寸法が、前方縁部から後方自由縁部にかけて均一な形状であり、あるいは前記吸収層の幅寸法が、後方自由縁部に向けて徐々に大きくなる形状である。そのため、生理中の女性が着用したときに、防漏層から起立する前記吸収層の後方部分が、肛門または臀部の表面に密着できたとしても、臀部の溝と前記吸収層との間の隙間を埋めることは困難である。そのため、排泄された経血が肛門から臀部の溝内を伝わって身体の後方へ伝わりやすくなり、排泄液が吸収層の表面の広い範囲に広がってしまい、吸収性物品から排泄液が漏れやすい状態となる。
【０００６】
また着用者が歩行したり、着座姿勢で足組みをしたり、横向きに寝て足を組んだりしたときには、臀部の溝が身体の中心線に対して左右いずれかの方向へずれるように変形する。しかし、前記公報に記載された吸収性物品では、肛門から臀部の溝を覆っている前記吸収層の後方部分が、身体の捩れに対して左右に自由に動くものではないため、身体が前記姿勢となると、臀部の溝と吸収層との間の隙間がさらに大きくなり、液漏れの心配が増大する。また、身体が前記姿勢になると、ショーツが臀部の肉の動きに追従して変形するため、ショーツの股間部に装着されている吸収性物品に捩れが発生し、これによっても、吸収層と前記臀部の溝との間の隙間が大きくなりやすい。
【０００７】
また、前記公報には、前記吸収層の後方部分に隆起部を形成することも記載されている。しかし、前記吸収層の後方部分が左右方向へ自由に変形できるものではないため、身体が前記姿勢となって臀部の溝が変形したときに、前記隆起部が臀部の溝の変化に追従しにくく、前記隆起部が臀部の溝から外れやすくなって、フィット性の向上に限界がある。
【０００８】
本発明は上記従来の課題を解決するものであり、後方部分を着用者の臀部の溝に密着させることができ、さらに身体が動いたときに、前記臀部の溝への密着を維持しやすく、排泄液の漏れを防止する効果の高い吸収性物品を提供することを目的としている。
【０００９】
【課題を解決するための手段】
本発明は、縦長の本体部と、前記本体部の表面に位置して液を吸収して保持する機能を有する縦長の表面構造体とが設けられている吸収性物品において、
前記本体部と前記表面構造体とが、縦方向へ所定の長さを有する固定部によって固定され、前記表面構造体は、前記固定部が設けられた前方部分と、前記固定部よりも後方に突出する後方自由部分とに縦方向に区分されており、
前記前方部分には、前記固定部よりも幅方向の両外側に向けて延出する側方自由部分が設けられ、前記側方自由部分の縁部に、液の吸収保持能力を有する防漏層が前記側方自由部分から隆起して設けられ、
前記後方自由部分の表面に、表面に波状の凹凸部を有する表面シートが設けられており、
前記表面構造体には、前記前方部分と前記後方自由部分にかけて、中心線に沿って隆起した隆起部が連続して形成されており、前記本体部の裏面から前記隆起部の頂部までの高さ寸法は、前記前方部分よりも前記後方自由部分の方が大きく、
前記後方自由部分は前記本体部よりも幅寸法が小さく、且つ前記表面構造体の前記前方部分よりも幅寸法が小さいことを特徴とするものである。
【００１０】
また好ましくは、前記後方自由部分は、その後端部に向かうにしたがって幅寸法が徐々に小さくなる形状である。
【００１１】
本発明の吸収性物品は、本体部に液を吸収して保持する機能を有する表面構造体が部分的に固定されている。そして、前記表面構造体には、幅寸法の小さい後方自由部分が設けられている。この吸収性物品を着用すると、前記表面構造体の前記後方自由部分が肛門から臀部の溝内部に密着しやすい。また身体の姿勢により臀部の溝が左右に動いたときに、前記表面構造体の後方自由部分が臀部の溝の動きに追従しやすくなり、臀部の溝が前記後方自由部分で埋められた状態を維持でき、漏れ防止効果を高くできる。
【００１３】
表面構造体に、前後方向に延びる隆起部が形成されているので、前記隆起部が、女性の生殖器から肛門さらには臀部の溝にかけて密着し、排泄液が表面構造体で捕捉されやすくなり、液漏れをさらに抑制できる。
【００１５】
後方部分での隆起部の高さ寸法が大きいため、隆起部の前方部分が女性の生殖器に密着した状態で、さらに隆起部の後方部分が臀部の溝内に密着しやすくなる。
【００１７】
側方自由部分を有しているので、下着に固着させた本体部が身体の動きにより捩れを生じたとしても、表面構造体の前記側方自由部分が身体から離れにくくなり、排泄液の横漏れを防止しやすくなる。
【００１８】
また、前記本体部は、前方領域よりも後方領域で幅寸法が大きくなっており、前記表面構造体の前記後方自由部分は、前記幅寸法の大きい後方領域に位置しているものが好ましく、さらには、本体部の少なくとも前記後方領域では、前記後方自由部分が重ねられている領域およびそれよりも外側の周辺領域に吸収層が設けられているものが好ましい。
【００１９】
前記のように、本体部の後方領域の幅寸法を広くしておくと、着用時に前記本体部の後方領域が肛門から臀部の溝の表面を広く覆うことができ、しかも表面構造体の後方自由部分が臀部の溝内に入り込むようになり、後方での液漏れを確実に阻止できるようになる。
【００２０】
また、前記固定部の後端部と、前記後方自由部分の後端部とを結ぶ線が、本体部の中心線に対して左右５度以上の角度となるように、前記後方自由部分が両側方へ向けて変形自在であることが好ましい。
【００２１】
前記のように構成すると、着用中に歩行し、着座姿勢で足組みをし、または横向きに寝て足を組んだようなときでも、前記後方自由部分が臀部の溝の変形に追従できるようになり、臀部の溝が前記後方自由部分で埋められた状態となって、臀部方向への液漏れの防止効果を高くすることができる。
【００２２】
また、前記後方自由部分に対し、上方から４９００Ｐａの圧力を与えたときの圧縮回復率が、乾燥状態において３０％以上であることが好ましく、前記後方自由部分に対し、側方から４９００Ｐａの圧力を与えたときの圧縮回復率が、乾燥状態において３０％以上であることが好ましい。
【００２３】
また、前記後方自由部分に対し、上方から４９００Ｐａの圧力を与えたときの圧縮剛性が、乾燥状態において０．６以下であることが好ましく、前記後方自由部分に対し、側方から４９００Ｐａの圧力を与えたときの圧縮剛性が、乾燥状態において０．６以下であることが好ましい。
【００２４】
前記後方自由部分の圧縮剛性を前記範囲の特性のものにすると、前記後方自由部分が臀部の溝の形状に柔軟に追従して変形し、また弾性回復率を前記範囲とすると、後方自由部分が臀部の溝内に適度な弾性力で圧接し、圧接状態を常に維持しやすくなる。
【００２５】
【発明の実施の形態】
図１は本発明の吸収性物品の一実施の形態として生理用ナプキンを表面側から示す平面図、図２は図１のＩＩ−ＩＩ線の断面図、図３は図１のＩＩＩ−ＩＩＩ線の断面図、図４は図１のＩＶ−ＩＶ線の断面図である。また図５は、固定部の形成領域を説明するための平面図である。
【００２６】
図１ないし図３に示す生理用ナプキン１は、生理中の女性がショーツのクロッチ部の内面に装着して着用するものであり、その構造は、本体部２と前記本体部２の表面に部分的に固定された表面構造体３とを有している。
【００２７】
前記本体部２の平面形状は、ほぼ円弧形状の前縁部２ａと後縁部２ｂ、および右側縁部２ｃと左側縁部２ｄを有している。本体部２はＹ方向に長い縦長形状である。本体部２は縦方向（Ｙ方向）の長さ寸法がＬ１の前方領域と縦方向の長さ寸法がＬ２の後方領域とに区分でき、前記Ｌ１とＬ２は、本体部２を縦方向にほぼ二分する寸法であり、Ｌ１とＬ２はほぼ等しい。
【００２８】
前記前方領域では、右側縁部２ｃと左側縁部２ｄとの距離すなわち本体部２の幅寸法がＷ１で、前記後方領域では前記幅寸法がＷ２であり、前方領域の幅寸法Ｗ１よりも後方領域の幅寸法Ｗ２の方が大きくなっている。
【００２９】
前記前方領域において、本体部の前記右側縁部２ｃと前記左側縁部２ｄの一部分が幅方向の両側に突出し、この突出した部分によりウイング部４ａ，４ｂが形成されている。
【００３０】
図２ないし図４に示すように、前記本体部２は液不透過性の裏面シート１１と、液透過性の表面シート１２とを有し、前記裏面シート１１と前記表面シート１２の間に、液を吸収する能力を有する吸収層１３が挟まれている。
【００３１】
本体部２の前記長さ寸法Ｌ２の後方領域では、前記吸収層１３の周縁部の上に重ねられた防漏層１４が設けられている。前記吸収層１３および防漏層１４が、裏面シート１１と表面シート１２との間に挟まれている。この防漏層１４は液を吸収保持する能力を有するものであり、前記後方領域において、前記吸収層１３の周縁部を囲むように設けられている。図１では、前記防漏層１４の両端部を１４ａおよび１４ｂで示している。
【００３２】
本体部２の前記領域では、そのほぼ半分の長さＬ３の領域において、前記吸収層１３の周縁部の上に、前記防漏層１４と同じ防漏層１５が設けられている。前記防漏層１５は、吸収層１３の周縁部を囲むように設けられており、吸収層１３および防漏層１５が、裏面シート１１と表面シート１２との間に挟まれている。また、図１では、前記防漏層１５の両端部を１５ａおよび１５ｂで示している。
【００３３】
そして、前記吸収層１３および防漏層１４と防漏層１５よりも外側の領域において、前記裏面シート１１と表面シート１２とがホットメルト型接着剤により固定されている。
【００３４】
この実施の形態では、図１に示すように、表面構造体３が重ねられている領域に、前記防漏層１４と防漏層１５が設けられておらず、前記吸収層１３の周縁部のうちの表面構造体３と重ねられていない前記周縁部に、前記防漏層１４および防漏層１５が設けられている。そして前記防漏層１４と防漏層１５が設けられた部分は、本体部２の表面側に隆起しており、吸収層１３を有する吸収領域の周囲部分を囲む防漏堤が形成されている。
【００３５】
図３に示すように、前記ウイング部４ａと４ｂでは、前記裏面シート１１と表面シート１２との間に、補強紙１６ａと１６ｂが設けられており、前記裏面シート１１と補強紙１６ａ，１６ｂおよび表面シート１２とが重ねられた状態でホットメルト型接着剤により固定されている。前記補強紙１６ａ，１６ｂが設けられていることにより、前記ウイング部４ａと４ｂの剛性が高くなり、下着への装着時に前記ウイング部４ａと４ｂを本体部２の裏面側へ向けて折りたたみやすくなっている。
【００３６】
図１および図３に示すように、前記ウイング部４ａと４ｂの裏面では、前記裏面シート１１の外面に、それぞれ固定手段として感圧接着剤層１７ａ，１７ｂが設けられている。また本体部２の裏面では、前記裏面シート１１の外面に、縦方向に帯状に延びる感圧接着剤層１８ａと１８ｂが互いに平行に設けられている。
【００３７】
前記表面構造体３は、本体部２の表面においてホットメルト型接着剤などで部分的に固定されている。図２と図５では、前記部分的な固定部を符号２０で示している。
【００３８】
前記表面構造体３は、縦方向に二分された前方部分３Ａと後方自由部分３Ｂとを有している。この実施の形態では、前記固定部２０が設けられている部分が前記前方部分３Ａであり、前記固定部２０よりも後方に突出している部分が後方自由部分３Ｂである。
【００３９】
また、前記前方部分３Ａでは、前記表面構造体３は、前記固定部２０よりも左右両外側に張り出しており、前記固定部２０よりも外側に突出している部分により、前記表面構造体３の側方自由部分３Ａ１と３Ａ２が形成されている。
【００４０】
図２に示すように、前記表面構造体３は、裏面シート２１と表面シート２２を有しており、前記裏面シート２１と表面シート２２との間では、前記前方部分３Ａに、第１の吸収層２３が介在しており、前記後方自由部分３Ｂに、第２の吸収層２４が介在している。
【００４１】
図３に示すように、前記表面構造体３の前方部分３Ａでは、縦方向に延びる中心線Ｏ−Ｏの左右両側に所定間隔を空けて圧搾溝２５，２５が形成されており、前記圧搾溝２５と圧搾溝２５とで囲まれた領域の第１の吸収層２３の厚みが大きくなって隆起部２３ａが形成されている。前記圧搾溝２５，２５よりも左右両外側は、前記第１の吸収層２３の厚みが前記隆起部２３ａよりもやや薄くなって薄肉部２３ｂ，２３ｂとなっている。そして、前記表面構造体３の前方部分３Ａでは、前記吸収層２３の前記薄肉部２３ｂ，２３ｂの外周部分に防漏層２６，２６が設けられている。この防漏層２６，２６は前記第１の吸収層２３と同様に液の吸収能力と液の保持能力を有しており、防漏層２６，２６は前記薄肉部２３ｂ，２３ｂよりも厚くなっている。
【００４２】
前記表面構造体３の前方部分３Ａでは、前記第１の吸収層２３および前記防漏層２６，２６が、前記裏面シート２１と前記表面シート２２に挟まれているが、前記前方部分３Ａでは、前記隆起部２３ａにおいて厚みが大きくなっているとともに、前記側方自由部分３Ａ１，３Ａ２の縁部においても、前記防漏層２６，２６を有する部分が上方へ隆起して厚みが大きくなっている。
【００４３】
前記表面構造体３の後方自由部分３Ｂでは、裏面シート２１と表面シート２２との間に第２の吸収層２４が挟まれている。図１および図５に示すように、前記後方自由部分３Ｂと、前記前方部分３Ａの前記隆起部２３ａとが連続しており、前記隆起部２３ａと前記後方自由部分３Ｂにより、中央線Ｏ−Ｏに沿う連続する隆起部が形成されている。
【００４４】
また、図２に示すように、前記裏面シート１１から、前方部分３Ａの隆起部２３ａの頂部までの高さ寸法ｈ１よりも、前記裏面シート１１から前記後方自由部分３Ｂの頂部までの高さ寸法ｈ２の方が大きくなっている。
【００４５】
前記表面シート２２は液透過性の不織布で形成されており、図１に示すように、本体部２の前記前方領域に相当する部分では、前記表面シート２２に多数の液透過孔２８が形成されている。また本体部２の前記後方領域に相当する部分では、前記表面シート２２に、波状の凹凸部２９が形成されている。
【００４６】
前記裏面シート２１は、液不透過性のシートで形成されることが好ましい。図の実施の形態のように本体部２に吸収層１３が設けられている場合には、前記裏面シート２１が液透過性であってもよい。ただし、前記本体部２に前記吸収層１３が設けられていない場合には、前記裏面シート２１は液不透過性のシートで形成されることが必要である。
【００４７】
前記第１の吸収層２３と第２の吸収層２４は同じものであってもよいが、前記第１の吸収層２３の隆起部２３ａよりも、前記第２の吸収層２４の方が、圧縮回復率が高く圧縮剛性が低いことが好ましい。
【００４８】
前記本体部２の裏面シート１１は、液不透過性のシートであり、ポリエチレン（ＰＥ）フィルムまたは前記フィルムと不織布とのラミネートシートなどである。表面シート１２は液透過性であり、合成繊維を熱風で交絡させて融着させたエアースル不織布、または合成繊維を水流で交絡させたスパンレース不織布、あるいは前記不織布に液透過孔が形成されたもの、あるいは液透過孔を有する樹脂フィルムなどである。
【００４９】
表面構造体３を形成している前記表面シート２２は前記エアースルー不織布、スパンレース不織布などである。前述のように、表面構造体３では、前方部分３Ａが女性の膣口に当たる領域であり、前方部分３Ａが主に排泄液を受け止める部分となるため、この部分の前記表面シート２２に前記液透過孔２８が形成されているのが好ましい。また後方自由部分３Ｂは、主に肛門および臀部の溝内に当たる部分であるため、この後方自由部分３Ｂでは、前記のように表面シート２２に凹凸部２９が形成されて、表面の当接感触をソフトにしておくことが好ましい。
【００５０】
この生理用ナプキン１は、本体部２の縦方向の長さ寸法（Ｌ１＋Ｌ２）が２００〜４５０ｍｍである。就寝時に使用することを想定すると、前記長さ寸法は２５０ｍｍ以上が好ましい。また、あまり長すぎると着用時に臀部に違和感を生じる可能性がある。よって、前記長さ寸法の好ましい範囲は２５０〜３５０ｍｍである。また本体部２の前方領域の幅寸法Ｗ１は４０〜１００ｍｍ、後方領域の幅寸法Ｗ２は８０〜１５０ｍｍである。
【００５１】
図５に示すように、表面構造体３は、固定部２０の後端部が、前方部分３Ａと後方自由部分３Ｂとの境界部３Ｄである。前記表面構造体３の縦方向の長さ寸法（Ｌａ＋Ｌｂ）は、８０〜３００ｍｍ程度である。本体部２の前縁部２ａから前記境界部３Ｄまでの距離は１３０〜２００であり、前記後方自由部分３Ｂの長さ寸法Ｌｂは３０〜１２０ｍｍである。
【００５２】
前記表面構造体３の後方自由部分３Ｂは、前方部分３Ａよりも幅寸法が小さく、前記境界部３Ｄから、後端部３Ｅにかけて幅寸法が徐々に小さくなる形状である。前記表面構造体３は、着用者の肛門から臀部の溝内に密着するものであるために、幅寸法が細いことが必要であり、前記境界部３Ｄから後端部３Ｅまでの全長Ｌａの半分（Ｌｂ／２）の位置における前記後方自由部分３Ｂの幅寸法Ｗｂは、前方部分３Ａの幅寸法Ｗａの２／３以下が好ましく、さらに好ましくは１／２以下である。また臀部の溝内に密着しやすくするためには、前記幅寸法Ｗｂは５０ｍｍ以下が好ましく、さらに好ましくは３０ｍｍ以下である。
【００５３】
前記後方自由部分３Ｂは、前記前方部分３Ａの隆起部２３ａと連続する形状であり、図４に示すように、その断面形状は平坦ではなく、後方自由部分３Ｂではその表面が頂部３Ｆに向けて盛り上がっている構造であることが好ましい。そして前記境界部３Ｄからの距離がＬｂ／２の位置において、幅寸法Ｗｂに対する頂部３Ｆまでの高さ寸法ｈａの比、ｈａ／Ｗｂが０．２以上であることが好ましく、さらに好ましくは０．３以上である。このように後方自由部分３Ｂが上方に盛り上がった形状であると、後方自由部分３Ｂが、肛門から臀部の溝にかけてフィットしやすくなる。
【００５４】
次に、前記後方自由部分３Ｂが、肛門から臀部の溝内にフィットしやすくなり、さらに身体の動きに追従して前記密着状態を維持できるようにするために、前記後方自由部分３Ｂは以下の特性を有することが好ましい。
【００５５】
前記後方自由部分３Ｂは、後端部３Ｅを生理用ナプキン１の幅方向（Ｘ方向）へ、引っ張りまたは押したときに、５度以上の角度に変形できることが好ましい。ここで、前記角度は、図５に破線で示すように後方自由部分３Ｂが変形したときに、境界部３Ｄと後端部３Ｅとを結ぶ線が前記中心線Ｏ−Ｏに対して成す角度を意味する。また、前記５度の角度で変形させる際に、前記後端部３Ｅに与えるのが必要な幅方向（Ｘ方向）の力は０．２Ｎ以下であることが好ましい。
【００５６】
前記力の測定は、ＳＨＩＭＰＯ社製のデジタルフォースゲージ「ＳＨＩＭＰＯＦＧＣ−０．２」の接触子に鉤状のフックを取付けて、前記フックを後方自由部分３Ｂの後端部３Ｅに引っ掛けて、前記変形角度が５度になるまで前記後端部３Ｅを横方向へ引っ張り、このときに前記デジタルフォースゲージで表示された荷重を読み取ることにより行われる。
【００５７】
後方自由部分３Ｂが左右に５度以上の角度で変形でき、且つ５度変形させるのに必要な力が０．２Ｎ以下であれば、着用時の臀部の溝の動きに追従して前記後方自由部分３Ｂが変形できるようになり、後方自由部分３Ｂが臀部の溝にフィットした状態を維持しやすくなる。
【００５８】
また、前記後方自由部分３Ｂの圧縮特性は以下のとおりであることが好ましい。
【００５９】
本明細書では、前記後方自由部分３Ｂの、圧縮回復率および圧縮剛性として、カトーテック（株）の自動化圧縮試験機「ＫＥＳ  ＦＢ３−Ａ」で測定した値を用いている。
【００６０】
その測定方法では、前記後方自由部分３Ｂと同じ構造で同じ寸法の試料を作成し、この試料を前記自動化圧縮試験機の測定台に設置し、加圧板（面積が２ｃｍ2の円形の加圧板）で前記試料を加圧する。図６の線図は、このときの加圧圧力を縦軸に示し、測定試料の厚みを横軸に示している。前記加圧板によって測定試料に初期圧力Ｐ０＝４９Ｐａ（０．５ｇ／ｃｍ2）を与えたときの測定試料の加圧領域の厚みを初期厚みをＴ０とし、前記初期圧力Ｐ０を起点として、前記圧縮圧力をＰｍ＝４９００Ｐａ（５０ｇ／ｃｍ2）まで圧縮速度０．１ｃｍ／ｓで直線的に高め、圧力が前記圧縮圧力Ｐｍに至ったときの前記測定試料の加圧時厚みをＴｍとしている。
【００６１】
前記測定試料の１ｃｍ2あたりの圧縮エネルギーＷＣは、図６の（ｉ）の曲線に対して、ＷＣ＝∫Ｐ・ｄＴ（Ｐは圧力、Ｔは厚み）でＴｍ→Ｔ０の間で定積分を行った値である。また圧縮剛性（ＬＣ値）は、ＬＣ＝２ＷＣ／｛（Ｔ０−Ｔｍ）Ｐｍ｝（無次元）で求められる。
【００６２】
また、圧縮回復率（ＲＣ値）は、（ｉｉ）の回復曲線に対して∫Ｐ・ｄＴでＴｍ→Ｔ０の間で定積分を行った値をＲとしたとき、ＲＣ＝Ｒ／ＷＣ×１００（％）である。
【００６３】
すなわち、前記圧縮剛性とは、図６において（ｉ）の曲線と、Ａ１点、Ｂ点、Ｃ点とで囲まれた部分の面積がＷＣであり、このときの（ＷＣ／Ａ１，Ｂ，Ｃ点を頂点とする三角形の面積）である。また、前記圧縮回復率は、（ｉｉ）の曲線と、Ａ２点、Ｂ点、Ｃ点とで囲まれた面積がＲであり、Ｒ／ＷＣの面積比×１００％である。
【００６４】
前記測定は、後方自由部分３Ｂと同じ構造の乾燥状態の試料に対して、上方から（頂部３Ｆに対向する方向から）、および側方（Ｘ方向）からの双方に対して行って測定する。
【００６５】
このように測定した圧縮回復率は、上方および側方からの双方に対して３０％以上であることが好ましい。
【００６６】
圧縮回復率が３０％以上であると、臀部の溝に入り込んだ前記後方自由部分３Ｂが溝の圧力で押し潰されたときに、形状を回復しやすくなる。
【００６７】
また、前記後方自由部分３Ｂの圧縮剛性は、上方から加圧したときと側方から加圧したときの双方において０．６以下であることが好ましい。
【００６８】
前記のように、圧縮剛性が乾燥状態においても０．６以下であると、後方自由部分３Ｂが肛門から臀部の溝内に入り込んだ状態で、着用者に剛直感を与えず、快適な着用感を得ることができる。
【００６９】
前記生理用ナプキン１は、本体部２の裏面に設けられた感圧接着剤層１８ａ，１８ｂを下着のクロッチ部の内面に固着させる。さらにウイング部４ａ，４ｂを裏側へ向けて折り曲げ、ウイング部４ａとウイング部４ｂを、感圧接着剤層１７ａ，１７ｂによって前記クロッチ部の外面に固着させる。このように生理用ナプキン１を下着のクロッチ部に固着させて、下着を着用する。
【００７０】
このとき、表面構造体３の前方部分３Ａの隆起部２３ａが膣口に密着し、さらに幅寸法の小さい後方自由部分３Ｂが肛門から臀部の溝内に密着させられる。
【００７１】
膣口から排泄される経血は、表面構造体３の表面シート２２の液透過孔２８を透過して第１の吸収層２３に吸収される。また、表面構造体３の後方自由部分３Ｂが肛門および臀部の溝内に密着しているため、表面構造体３と臀部の溝との隙間が埋められ、後方への経血の漏れを防止できる。
【００７２】
前記後方自由部分３Ｂは左右へ変形できる自由度を有しているため、着用者が歩行し、または着座姿勢で足組みし、あるいは横向きに寝て足を組んだようなときに、臀部の溝が身体の中央部に対して傾くように変形しても、前記後方自由部分３Ｂは臀部の溝に追従して変形できる。よって臀部の溝は前記後方自由部分３Ｂで埋められた状態を維持でき、常に経血の後方への漏れを防止しやすい。
【００７３】
また表面構造体３の前方部分３Ａでは、前記隆起部２３ａの両側方に側方自由部分３Ａ１，３Ａ２が延びている。そのため、下着のクロッチ部の緩みや縒れにより、本体部２が身体の股間部に対向した状態で傾くことがあっても、前記側方自由部分３Ａ１，３Ａ２は股間部において膣口、または膣口の左右側方部分に当接した状態を維持できる。また、側方自由部分３Ａ１，３Ａ２の縁部には防漏層２６，２６が設けられて、その部分が上方へ隆起しているので、経血が前記側方自由部分３Ａ１，３Ａ２の側方へ流れようとしたときに、この経血を堰き止めることができる。さらに、前記防漏層２６，２６が着用者の鼠径部に当接した状態を維持できるので、体を伝わって流れる経血を前記防漏層２６，２６で止めることができる。
【００７４】
また、後方自由部分３Ｂが存在している後方領域では、本体部２が幅広になっており、この部分には幅広の吸収層１３が存在しているため、経血が臀部の溝を伝わって前記後方自由部分３Ｂに至り、さらに後方自由部分３Ｂから側方へ漏れ出たとしても、広い面積の吸収層１３で吸収することができる。また吸収層１３の外周部分には防漏層１４が設けられてこの部分が隆起しているため、吸収層１３を伝わって横方向へ漏れようとする経血があっても、前記防漏層１４で止めることができる。また、本体部２の前方部分においても吸収層１３の周囲に防漏層１５が設けられているので、経血の漏れを防止しやすい。
【００７５】
なお、本発明の吸収性物品は、生理用ナプキンに限られず、外部装着体である下着や使い捨てオムツの内側に取り付けられて使用される尿とりパッドなどとして使用可能である。
【００７６】
【発明の効果】
以上説明したように、本発明の吸収性物品は吸収能力を有する表面構造体の後方自由部分が、着用者の臀部の溝内に密着し、しかも身体の動きに追従して前記後方自由部分が動くため、体排出液の後ろ漏れを有効に防止することができる。
【図面の簡単な説明】
【図１】本発明の吸収性物品の実施の形態として生理用ナプキンを示す平面図、
【図２】図１のＩＩ−ＩＩ線の断面図、
【図３】図１のＩＩＩ−ＩＩＩ線の断面図、
【図４】図１のＩＶ−ＩＶ線の断面図、
【図５】図１の生理用ナプキンを示す平面図、
【図６】圧縮特性を示す線図、
【符号の説明】
１  生理用ナプキン
２  本体部
２ａ  本体部の前縁部
２ｂ  本体部の後縁部
２ｃ  本体部の右側縁部
２ｄ  本体部の左側縁部
３  表面構造体
３Ａ  前方部分
３Ｂ  後方自由部分
３Ａ１，３Ａ２  側方自由部分
４ａ，４ｂ  ウイング部
１１  裏面シート
１２  表面シート
１３  吸収層
１４  防漏層
１５  防漏層
１６  補強紙
１７ａ，１７ｂ  感圧接着剤層
１８ａ，１８ｂ  感圧接着剤層
２０  固定部
２１  裏面シート
２２  表面シート
２３  第１の吸収層
２３ａ  隆起部
２３ｂ  薄肉部
２４  第２の吸収層
２５  圧搾溝
２６  防漏層
２８  液透過孔
２９  凹凸部
【図１】
0004901037.tif 000002
【図２】
0004901037.tif 000003
【図３】
0004901037.tif 000004
【図４】
0004901037.tif 000005
【図５】
0004901037.tif 000006
【図６】
0004901037.tif 000007